(57)【要約】【課題】代表識別コードに関連づけられたグループの通信端末を一斉に呼び出す処理を行う際のアプリケーションの動作を簡単にできる方法を提供する。【解決手段】発信元通信端末から発信された所定識別コードへの呼を受信すると、所定識別コードを送信する呼制御手段と、呼制御手段から送信された所定識別コードを受信すると、所定識別コードに予め関連づけられた複数の識別コードを送信するアプリケーションと、に接続されるＡＰＩが行う接続制御方法であって、アプリケーションから送信された複数の識別コードを受信する受信ステップと、複数の識別コードが受信されると、複数の識別コードを用いて、複数の識別コードと個別に対応する複数の通信端末に対して呼び出しを行う旨の指示を、呼制御手段に送信する制御ステップと、を含む。【選択図】図１
2009278321.tif 000002
【特許請求の範囲】
【請求項１】
発信元通信端末から発信された所定識別コードへの呼を受信すると、当該所定識別コードを送信する呼制御手段と、前記呼制御手段から送信された所定識別コードを受信すると、当該所定識別コードに予め関連づけられた複数の識別コードを送信するアプリケーションと、に接続されるＡＰＩが行う接続制御方法であって、
前記アプリケーションから送信された複数の識別コードを受信する受信ステップと、
前記複数の識別コードが受信されると、当該複数の識別コードを用いて、当該複数の識別コードと個別に対応する複数の通信端末に対して呼び出しを行う旨の指示を、前記呼制御手段に送信する制御ステップと、を含む接続制御方法。
【請求項２】
請求項１に記載の接続制御方法において、
前記制御ステップでは、前記複数の識別コードが受信されると、当該複数の識別コードを用いて、前記複数の通信端末に対して呼び出しを行い、当該複数の通信端末のいずれかから応答があった場合に、前記発信元通信端末と前記応答のあった通信端末とを接続し、前記複数の通信端末のうち応答のなかった通信端末に対する呼び出しを中断するという一連の処理を行う旨の指示を、前記呼制御手段に送信する、接続制御方法。
【請求項３】
所定識別コードを受信すると当該所定識別コードに予め関連づけられた複数の識別コードを送信するアプリケーションと接続するＡＰＩと、前記ＡＰＩからの動作指示にしたがって通信端末間の接続を制御する呼制御手段と、を含み、
前記呼制御手段は、発信元通信端末から発信された前記所定識別コードへの呼を受信すると、当該所定識別コードを前記アプリケーションに送信し、
前記ＡＰＩは、
前記アプリケーションから送信された複数の識別コードを受信する受信手段と、
前記受信手段が前記複数の識別コードを受信すると、当該複数の識別コードを用いて、当該複数の識別コードと個別に対応する複数の通信端末に対して呼び出しを行う旨の指示を、前記動作指示として、前記呼制御手段に送信する制御手段と、を含む、接続制御装置。
【請求項４】
請求項３に記載の接続制御装置において、
前記制御手段は、前記受信手段が前記複数の識別コードを受信すると、当該複数の識別コードを用いて、前記複数の通信端末に対して呼び出しを行い、当該複数の通信端末のいずれかから応答があった場合に、前記発信元通信端末と前記応答のあった通信端末とを接続し、前記複数の通信端末のうち応答のなかった通信端末に対する呼び出しを中断するという一連の処理を行う旨の指示を、前記動作指示として、前記呼制御手段に送信する、接続制御装置。
【請求項５】
請求項３または４に記載の接続制御装置において、
前記呼制御手段は、前記動作指示を受け付けると、ＳＩＰを用いて、当該動作指示にしたがった動作を行う、接続制御装置。
【請求項６】
発信元通信端末から発信された所定識別コードへの呼を受信すると、当該所定識別コードを送信する呼制御手段と、前記呼制御手段から送信された所定識別コードを受信すると、当該所定識別コードに予め関連づけられた複数の識別コードを送信するアプリケーションと、に接続されるコンピュータに、
前記アプリケーションから送信された複数の識別コードを受信する受信手順と、
前記複数の識別コードが受信されると、当該複数の識別コードを用いて、当該複数の識別コードと個別に対応する複数の通信端末に対して呼び出しを行う旨の指示を、前記呼制御手段に送信する制御手順と、を実行させるためのプログラム。
【請求項７】
請求項６に記載のプログラムにおいて、
前記制御手順では、前記複数の識別コードが受信されると、当該複数の識別コードを用いて、前記複数の通信端末に対して呼び出しを行い、当該複数の通信端末のいずれかから応答があった場合に、前記発信元通信端末と前記応答のあった通信端末とを接続し、前記複数の通信端末のうち応答のなかった通信端末に対する呼び出しを中断するという一連の処理を行う旨の指示を、前記呼制御手段に送信する、プログラム。
【請求項８】
発信元通信端末から発信された所定識別コードへの呼を受信すると、当該所定識別コードを送信する呼制御手段と、前記呼制御手段から送信された所定識別コードを受信すると、当該所定識別コードに予め関連づけられた複数の識別コードを送信するアプリケーションと、に接続されるＡＰＩであって、
前記アプリケーションから送信された複数の識別コードを受信する受信手段と、
前記受信手段が前記複数の識別コードを受信すると、当該複数の識別コードを用いて、当該複数の識別コードと個別に対応する複数の通信端末に対して呼び出しを行う旨の指示を、前記呼制御手段に送信する制御手段と、を含むＡＰＩ。
【請求項９】
請求項８に記載のＡＰＩにおいて、
前記制御手段は、前記受信手段が前記複数の識別コードを受信すると、当該複数の識別コードを用いて、前記複数の通信端末に対して呼び出しを行い、当該複数の通信端末のいずれかから応答があった場合に、前記発信元通信端末と前記応答のあった通信端末とを接続し、前記複数の通信端末のうち応答のなかった通信端末に対する呼び出しを中断するという一連の処理を行う旨の指示を、前記呼制御手段に送信する、ＡＰＩ。
【発明の詳細な説明】
【技術分野】
【０００１】
本発明は、接続制御方法、接続制御装置、プログラムおよびＡＰＩ（Application Programming Interface）に関する。なお、ＡＰＩは、Application Program Interfaceと称される場合もある。
【背景技術】
【０００２】
通信サービス向けアプリケーションを用いてサービスを行うために、様々なＡＰＩが考えられている。そのＡＰＩの中でParlay（パーレイ）グループが規定しているParlay X（パーレイエックス）が近年普及している。
【０００３】
Parlay Xは、インターネットサービス用ＩＰネットワークと電話サービス用の電話網とをＩＰ通信網として統合したＮＧＮ（Next Generation Network）に対応可能である。
【０００４】
Parlay Xは、複数種類のＡＰＩからなる。特に、Parlay XのPart3では、Call Notificationに関するＡＰＩが規定されている（非特許文献１参照）。
【非特許文献１】ETSI ES 202 504-3 v0.0.3 (2007-06)
【発明の開示】
【発明が解決しようとする課題】
【０００５】
代表識別コードの一例である代表電話番号宛に電話がかけられると、その代表電話番号に関連づけられたグループに属する通信端末（例えば、電話端末）が一斉に呼び出されて鳴動し、そのグループ内で最初に応答した通信端末が通話可能な状態となり、他の通信端末への呼び出しが中止される、という一連の処理（以下「接続制御処理」と称する。）は、例えば、ＮＧＮ等のネットワークで使用されるかもしれない。
【０００６】
図４は、アプリケーション（アプリ）１０１が、接続制御処理をParlay Xを用いて実現する場合の動作を説明するためのシーケンス図である。
【０００７】
なお、図４では、Parlay Xは、ミドルウェア（ミドル）１０２に搭載されているとする。また、代表電話番号に関連づけられたグループには、着信端末１０３Ａ〜１０３Ｃが属しているとする。
【０００８】
アプリケーション１０１は、発信端末１０４から発信された代表電話番号への呼を、ミドルウェア１０２を介して受信すると、呼び出し機能に対応するParlay X内のＡＰＩ（呼出ＡＰＩ）を、代表電話番号に関連づけられたグループ内の着信端末１０３Ａ〜１０３Ｃの数（この場合「３」）だけ呼び出して、着信端末１０３Ａ〜１０３Ｃを呼び出す。
【０００９】
さらに、アプリケーション１０１は、グループ内の着信端末１０３Ａ〜１０３Ｃのいずれか（図４では、着信端末１０３Ａ）が応答した後は、転送の機能に対応するParlay X内のＡＰＩ（転送ＡＰＩ）を呼び出して、最初に応答した着信端末１０３Ａと発信端末１０４とを通話状態にする。
【００１０】
さらに、アプリケーション１０１は、呼び出しを中止する機能に対応するParlay X内のＡＰＩ（呼出中断ＡＰＩ）を呼び出して、他の着信端末１０３Ｂ〜１０３Ｃへの呼び出しを中止する。
【００１１】
このため、アプリケーション１０１が、上記接続制御処理をParlay Xを用いて実現する場合、ＡＰＩの呼出回数が多くなり、アプリケーション１０１によるＡＰＩの操作が非常に煩雑になるという課題があった。
【００１２】
本発明の目的は、上述した課題を解決可能な、接続制御方法、接続制御装置、プログラムおよびＡＰＩを提供することにある。
【課題を解決するための手段】
【００１３】
本発明の接続制御方法は、発信元通信端末から発信された所定識別コードへの呼を受信すると、当該所定識別コードを送信する呼制御手段と、前記呼制御手段から送信された所定識別コードを受信すると、当該所定識別コードに予め関連づけられた複数の識別コードを送信するアプリケーションと、に接続されるＡＰＩが行う接続制御方法であって、前記アプリケーションから送信された複数の識別コードを受信する受信ステップと、前記複数の識別コードが受信されると、当該複数の識別コードを用いて、当該複数の識別コードと個別に対応する複数の通信端末に対して呼び出しを行う旨の指示を、前記呼制御手段に送信する制御ステップと、を含む。
【００１４】
本発明の接続制御装置は、所定識別コードを受信すると当該所定識別コードに予め関連づけられた複数の識別コードを送信するアプリケーションと接続するＡＰＩと、前記ＡＰＩからの動作指示にしたがって通信端末間の接続を制御する呼制御手段と、を含み、前記呼制御手段は、発信元通信端末から発信された前記所定識別コードへの呼を受信すると、当該所定識別コードを前記アプリケーションに送信し、前記ＡＰＩは、前記アプリケーションから送信された複数の識別コードを受信する受信手段と、前記受信手段が前記複数の識別コードを受信すると、当該複数の識別コードを用いて、当該複数の識別コードと個別に対応する複数の通信端末に対して呼び出しを行う旨の指示を、前記動作指示として、前記呼制御手段に送信する制御手段と、を含む。
【００１５】
本発明のプログラムは、発信元通信端末から発信された所定識別コードへの呼を受信すると、当該所定識別コードを送信する呼制御手段と、前記呼制御手段から送信された所定識別コードを受信すると、当該所定識別コードに予め関連づけられた複数の識別コードを送信するアプリケーションと、に接続されるコンピュータに、前記アプリケーションから送信された複数の識別コードを受信する受信手順と、前記複数の識別コードが受信されると、当該複数の識別コードを用いて、当該複数の識別コードと個別に対応する複数の通信端末に対して呼び出しを行う旨の指示を、前記呼制御手段に送信する制御手順と、を実行させる。
【００１６】
本発明のＡＰＩは、発信元通信端末から発信された所定識別コードへの呼を受信すると、当該所定識別コードを送信する呼制御手段と、前記呼制御手段から送信された所定識別コードを受信すると、当該所定識別コードに予め関連づけられた複数の識別コードを送信するアプリケーションと、に接続されるＡＰＩであって、前記アプリケーションから送信された複数の識別コードを受信する受信手段と、前記受信手段が前記複数の識別コードを受信すると、当該複数の識別コードを用いて、当該複数の識別コードと個別に対応する複数の通信端末に対して呼び出しを行う旨の指示を、前記呼制御手段に送信する制御手段と、を含む。
【発明の効果】
【００１７】
本発明によれば、代表電話番号等の代表識別コードに関連づけられたグループの通信端末を一斉に呼び出す処理を行う際における、アプリケーションの動作を簡単にすることが可能になる。
【発明を実施するための最良の形態】
【００１８】
以下、本発明の実施形態を図面を参照して説明する。
【００１９】
図１は、本発明の一実施形態のＡＰＩおよび接続制御装置を使用した、通信システムを示したブロック図である。
【００２０】
図１において、通信システム１は、代表電話番号格納部２と、アプリケーション３と、ミドルウェア４と、呼制御サーバ５と、を含む。ミドルウェア４は、ＡＰＩ受付部４ａと、呼制御部４ｂと、を含む。ＡＰＩ受付部４ａは、受付部４ａ１と、制御部４ａ２と、を含む。
【００２１】
通信システム１は、例えばＮＧＮを介して、複数の電話端末６１〜６ｎと接続可能である。複数の電話端末６１〜６ｎは、一般的に複数の通信端末と呼ぶことができる。通信システム１は、複数の電話端末６１〜６ｎ間の接続を、ＳＩＰ（Session Initiation Protocol）を用いて制御する。なお、本実施形態では、電話端末６１を発信元電話端末（発信元通信端末）とする。また、電話端末６２〜６ｎが、代表電話番号に関連づけられたグループに属するものとする。
【００２２】
代表電話番号格納部２は、グループの代表電話番号（以下「代表番号」と称する）と、その代表番号に関連づけられたグループ内の複数の電話番号と、を格納する。なお、代表番号は、一般的に所定電話番号または所定識別コードと呼ぶことができる。また、グループ内の複数の電話番号は、一般的に複数の識別コードと呼ぶことができる。
【００２３】
図２は、代表電話番号格納部２内の情報の一例を示した説明図である。
【００２４】
図２では、例えば、グループの代表番号「Ｂｂｂｂｂ」が、そのグループ内の電話番号「Ｂ１１１１」、「Ｂ２２２２」および「Ｂ３３３３」と関連づけられている。
【００２５】
アプリケーション３は、代表番号宛に電話がかけられると、その代表番号に関連づけられたグループに属する電話端末が一斉に呼び出されて鳴動し、そのグループ内で最初に応答した電話端末が通話可能な状態となり、他の電話端末への呼び出しが中止される、という一連の処理に関するサービスを提供する。
【００２６】
アプリケーション３は、例えば、発信元電話端末６１から、呼制御サーバ５およびミドルウェア４を介して、代表番号への呼を受信する。具体的には、発信元電話端末６１から発信された代表番号への呼は、呼制御部４ｂにて受信され、その後、呼制御部４ｂが、代表番号をアプリケーション３に送信する。
【００２７】
アプリケーション３は、代表番号を受信すると、代表電話番号格納部２から、その代表番号と関連づけられたグループの電話番号（複数の電話番号）を読み出す。
【００２８】
アプリケーション３は、そのグループの電話番号を、ＡＰＩ受付部４ａ（具体的には、受付部４ａ１）に送信する。
【００２９】
なお、アプリケーション３は、コンピュータがアプリケーション３の動作を規定するアプリケーションプログラムを読み出し実行することによって実現される。
【００３０】
ミドルウェア４は、一般的に接続制御装置と呼ぶことができる。ミドルウェア４は、例えば、ＮＧＮで実現される電話機能を、ＡＰＩとして提供する。
【００３１】
ＡＰＩ受付部４ａは、一般的にＡＰＩと呼ぶことができる。ＡＰＩ受付部４ａは、例えば、Parlay Xに追加されてもよい。
【００３２】
なお、ＡＰＩ受付部４ａは、コンピュータにより実現可能である。この場合、ＡＰＩ受付部４ａは、例えば、ディスクに記録されたプログラム（アプリケーション）に従って動作する。ディスクは、一般的に、コンピュータ（ＡＰＩ受付部４ａ）にて読み取り可能な記録媒体と呼ぶことができる。
【００３３】
ＡＰＩ受付部４ａは、プログラムをディスク（記録媒体）から読み取り実行することによって、受付部４ａ１および制御部４ａ２として機能する。
【００３４】
受付部４ａ１は、一般的に受信手段と呼ぶことができる。
【００３５】
受付部４ａ１は、アプリケーション３から、グループの電話番号（複数の電話番号）を受信する。受付部４ａ１は、グループの電話番号を受信すると、そのグループの電話番号を、制御部４ａ２に送信する。
【００３６】
制御部４ａ２は、一般的に制御手段と呼ぶことができる。
【００３７】
制御部４ａ２は、グループの電話番号を受信すると、そのグループの電話番号に基づいた一連の処理を行う旨の指示（動作指示）を、呼制御部４ｂに送信する。
【００３８】
なお、一連の処理とは、グループの電話番号つまり複数の電話番号を用いて、複数の電話番号と個別に対応する複数の電話端末に対して呼び出しを行い、その複数の電話端末のいずれかから応答があった場合に、発信元電話端末と応答のあった電話端末とを接続し、呼び出しを行った複数の電話端末のうち応答のなかった電話端末に対する呼び出しを中断する処理である。
【００３９】
呼制御部４ｂは、一般的に呼制御手段と呼ぶことができる。
【００４０】
呼制御部４ｂは、発信元電話端末から発信された代表番号への呼を受信すると、代表番号を、ＡＰＩ受付部４ａを介してアプリケーション３に送信する。
【００４１】
また、呼制御部４ｂは、制御部４ａ２から一連の処理を行う旨の指示を受信すると、その指示に基づいて、電話端末６１〜６ｎ間の接続を制御する。例えば、呼制御部４ｂは、制御部４ａ２から一連の処理を行う旨の指示を受信すると、ＳＩＰを用いて、その一連の処理を行う。
【００４２】
なお、ミドルウェア４は、コンピュータにより実現可能である。この場合、ミドルウェア４は、例えば、ディスクに記録されたプログラム（アプリケーション）に従って動作する。ミドルウェア４は、プログラムをディスク（記録媒体）から読み取り実行することによって、ＡＰＩ受付部４ａおよび呼制御部４ｂとして機能する。
【００４３】
次に、動作を説明する。
【００４４】
図３は、通信システム１の動作を説明するためのシーケンス図である。図３において、図１に示したものと同一のものには同一符号を付してある。なお、実際には、呼制御部４ｂは、呼制御サーバ５を介して各電話端末と通信するが、図３では、呼制御サーバ５を省略してある。
【００４５】
発信元電話端末６１は、ユーザから、代表番号へ発信する旨の操作を受け付けると、代表番号への呼を発信する（ステップ３０１、３０２）。
【００４６】
呼制御部４ｂは、代表番号への呼を受信すると、ＡＰＩ受付部４ａに、代表番号を示す着信通知を送信する（ステップ３０３）。
【００４７】
ＡＰＩ受付部４ａは、着信通知を受信すると、起動し、その着信通知をアプリケーション３に送信する（ステップ３０４）。
【００４８】
アプリケーション３は、着信通知を受信すると、代表電話番号格納部２から、その着信通知に示された代表番号と関連づけられたグループの電話番号（複数の電話番号）を読み出す。
【００４９】
以下では、アプリケーション３は、代表電話番号格納部２から、電話端末６２〜６４のそれぞれの電話番号を読み出したとする（ステップ３０５）。なお、代表番号と関連づけられたグループの電話番号は、電話端末６２〜６４のそれぞれの電話番号に限らない。
【００５０】
続いて、アプリケーション３は、電話端末６２〜６４のそれぞれの電話番号を示した電話番号リストを、ＡＰＩ受付部４ａ（具体的には、受付部４ａ１）に送信する（ステップ３０６）。
【００５１】
受付部４ａ１は、電話番号リストを受信すると、その電話番号リストを制御部４ａ２に送信する。制御部４ａ２は、電話番号リストを受信すると、一連の処理を行う旨の動作指示を、呼制御部４ｂに送信する（ステップ３０７）。
【００５２】
なお、一連の処理は、電話番号リストに示された複数の電話番号を用いて、複数の電話番号と個別に対応する複数の電話端末に対して呼び出しを行い、その後、その複数の電話端末のいずれかから応答があった場合に、発信元電話端末と応答のあった電話端末とを接続し、その後、呼び出しを行った複数の電話端末のうち応答のなかった電話端末に対する呼び出しを中断する処理である。
【００５３】
呼制御部４ｂは、動作指示を受信すると、その動作指示にしたがって動作する。
【００５４】
図３に示した例では、電話番号リストは、電話端末６２〜６４のそれぞれの電話番号を示しており、発信元電話番号が電話端末６１に対応するので、呼制御部４ｂは、ＳＩＰを用いて以下のように動作する。
【００５５】
呼制御部４ｂは、まず、電話端末６２〜６４のそれぞれの電話番号を用いて、電話端末６２〜６４のそれぞれに対して呼び出しを行う（ステップ３０８〜３１１）。電話端末６２〜６４のそれぞれは、呼制御部４ｂからの呼び出しによって鳴動して呼び出し中になる（ステップ３１２〜３１４）。
【００５６】
その後、電話端末６２〜６４のいずれか（図３では電話端末６２）が、呼び出しに応答して（ステップ３１５）、呼び出しの応答を呼制御部４ｂに通知すると（ステップ３１６）、呼制御部４ｂは、発信元電話端末と応答のあった電話端末６２とを接続して通話状態にする（ステップ３１７〜３１９）。
【００５７】
続いて、呼制御部４ｂは、呼び出しを行った複数の電話端末６２〜６４のうち応答のなかった電話端末６３〜６４に対する呼び出しを中断する（ステップ３２０〜３２２）。電話端末６３〜６４のそれぞれは、呼制御部４ｂからの呼び出しの中断によって鳴動を停止して呼び出しを中断する（ステップ３２３〜３２４）。
【００５８】
本実施形態によれば、制御部４ａ２は、受付部４ａ１が複数の電話番号を受け付けると、複数の電話番号を用いて、複数の電話番号と個別に対応する複数の電話端末に対して呼び出しを行い、複数の電話端末のいずれかから応答があった場合に、発信元電話端末と応答のあった電話端末とを接続し、複数の電話端末のうち応答のなかった電話端末に対する呼び出しを中断する一連の処理を行う旨の指示を、呼制御部４ｂに送信する。
【００５９】
このため、アプリケーション３は、ＡＰＩ受付部４ａに、代表番号に関連づけられた複数の電話番号を提供するだけで、代表番号宛に電話がかけられると、その代表電話番号に関連づけられたグループに属する電話端末が一斉に呼び出されて鳴動し、そのグループ内で最初に応答した電話端末が通話可能な状態となり、他の電話端末への呼び出しが中止される、という一連の処理を実行することが可能になる。
【００６０】
したがって、上述した一連の処理を実行する際のアプリケーション３の動作を簡単にすることができる。
【００６１】
また、本実施形態では、呼制御部４ｂは、ＳＩＰを用いて一連の処理を行う。この場合、端末間の接続にＳＩＰを利用するネットワーク（例えば、ＮＧＮ）において、上記一連の処理を実行することが可能になる。
【００６２】
なお、制御部４ａ２は、電話番号リストを受信すると、電話番号リストに示された複数の電話番号を用いて、複数の電話番号と個別に対応する複数の電話端末に対して呼び出しを行う旨の指示を、呼制御部４ｂに送信してもよい。
【００６３】
この場合、呼制御部４ｂは、その指示を受信すると、ＳＩＰ等を用いて、電話番号リストに示された複数の電話番号を用いて、複数の電話番号と個別に対応する複数の電話端末に対して呼び出しを行う。
【００６４】
このため、アプリケーション３は、ＡＰＩ受付部４ａに、代表番号に関連づけられた複数の電話番号を提供するだけで、代表番号宛に電話がかけられると、その代表電話番号に関連づけられたグループに属する電話端末が一斉に呼び出されて鳴動するという処理を実行することが可能になる。
【００６５】
したがって、上述した処理を実行する際のアプリケーション３の動作を簡単にすることができる。
【００６６】
なお、上記実施形態では、通信端末として電話端末が用いられたが、通信端末は電話端末に限らず適宜変更可能である。また、上記実施形態では、識別コードとして電話番号が用いられたが、識別コードは電話番号に限らず適宜変更可能である。
【００６７】
以上説明した実施形態において、図示した構成は単なる一例であって、本発明はその構成に限定されるものではない。
【図面の簡単な説明】
【００６８】
【図１】本発明の一実施形態のＡＰＩおよびミドルウェアを使用した、通信システムを示したブロック図である。
【図２】代表電話番号格納部２内の情報の一例を示した説明図である。
【図３】通信システム１の動作を説明するためのシーケンス図である。
【図４】関連技術の通信システムの動作を説明するためのシーケンス図である。
【符号の説明】
【００６９】
１      通信システム
２      代表電話番号格納部
３      アプリケーション
４      ミドルウェア
４ａ    ＡＰＩ受付部
４ａ１  受付部
４ａ２  制御部
４ｂ    呼制御部
５      呼制御サーバ
６１〜６ｎ  電話端末
【図１】
2009278321.tif 000003
【図２】
2009278321.tif 000004
【図３】
2009278321.tif 000005
【図４】
2009278321.tif 000006